(57)【要約】【課題】情報処理装置における電源供給制御を容易に又は低コストに行なう。【解決手段】複数の電源供給装置４１から、情報処理装置２がそなえる複数のシステムモジュール５、６に電源を供給するための電源供給路７ａ、７ｂの状態を、接続状態及び切断状態のいずれかに切り替える切替部３１と、電源供給装置４１を電源供給元１２−１に接続する際に出力される給電信号に基づき、前記電源供給元１２−１に接続された１以上の電源供給装置４１が供給可能な供給可能電流値を算出し、当該供給可能電流値が、前記複数のシステムモジュール５、６の突入電流の合計値に達した場合に、前記切替部３１に対して、前記電源供給路７ａ、７ｂの状態を、前記切断状態から前記接続状態に切り替える制御を行なう切替制御部３２と、をそなえる。【選択図】図３
2020036402.tif 000002
【特許請求の範囲】
【請求項１】
複数の電源供給装置から、情報処理装置がそなえる複数のシステムモジュールに電源を供給するための電源供給路の状態を、接続状態及び切断状態のいずれかに切り替える切替部と、
電源供給装置を電源供給元に接続する際に出力される給電信号に基づき、前記電源供給元に接続された１以上の電源供給装置が供給可能な供給可能電流値を算出し、当該供給可能電流値が、前記複数のシステムモジュールの突入電流の合計値に達した場合に、前記切替部に対して、前記電源供給路の状態を、前記切断状態から前記接続状態に切り替える制御を行なう切替制御部と、をそなえる、電源制御装置。
【請求項２】
前記給電信号により識別される電源供給装置ごとの供給可能電流値が設定された第１情報を記憶する記憶領域をそなえ、
前記切替制御部は、前記給電信号と、前記第１情報と、に基づき、前記電源供給元に接続された１以上の電源供給装置が供給可能な供給可能電流値を算出する、請求項１に記載の電源制御装置。
【請求項３】
前記第１情報は、前記給電信号により識別される電源供給装置の種類に応じた供給可能電流値が設定され、
前記切替制御部は、前記給電信号により識別される電源供給装置の種類と、前記給電信号と、前記第１情報と、に基づき、前記電源供給元に接続された１以上の電源供給装置が供給可能な供給可能電流値を算出する、請求項２に記載の電源制御装置。
【請求項４】
モジュール識別信号により識別されるシステムモジュールごとの突入電流値が設定された第２情報を記憶する記憶領域をそなえ、
前記切替制御部は、前記情報処理装置がそなえる前記複数のシステムモジュールの各々からモジュール識別信号を受信し、受信した前記モジュール識別信号と、前記第２情報と、に基づき、前記突入電流の合計値を算出する、請求項１〜３のいずれか１項に記載の電源制御装置。
【請求項５】
数値を示す情報を表示可能な表示部をそなえ、
前記切替制御部は、前記供給可能電流値と、前記突入電流の合計値と、に基づいて、前記突入電流の合計値以上の電流値を供給するための電源供給装置の台数を算出し、算出した台数を前記表示部に表示させる制御を行なう、請求項１〜４のいずれか１項に記載の電源制御装置。
【請求項６】
数値を示す情報を表示可能な表示部をそなえ、
前記切替制御部は、前記供給可能電流値、及び、前記突入電流の合計値、の少なくとも一方を前記表示部に表示させる制御を行なう、請求項１〜４のいずれか１項に記載の電源制御装置。
【請求項７】
前記切替制御部は、前記電源供給元に電源供給装置が接続されていない状態から、前記供給可能電流値が前記突入電流の合計値に達するまでの間は、前記切替部に対して、前記電源供給路の状態を前記切断状態に維持するように制御する、請求項１〜６のいずれか１項に記載の電源制御装置。
【請求項８】
複数の電源供給装置と、
複数のシステムモジュールと、
電源制御装置と、をそなえ、
前記電源制御装置は、
前記複数の電源供給装置から、前記複数のシステムモジュールに電源を供給するための電源供給路の状態を、接続状態及び切断状態のいずれかに切り替える切替部と、
電源供給装置を電源供給元に接続する際に出力される給電信号に基づき、前記電源供給元に接続された１以上の電源供給装置が供給可能な供給可能電流値を算出し、当該供給可能電流値が、前記複数のシステムモジュールの突入電流の合計値に達した場合に、前記切替部に対して、前記電源供給路の状態を、前記切断状態から前記接続状態に切り替える制御を行なう切替制御部と、をそなえる、情報処理装置。
【発明の詳細な説明】
【技術分野】
【０００１】
本発明は、電源制御装置および情報処理装置に関する。
【背景技術】
【０００２】
サーバ等情報処理装置では、ＰＳＵ（Power Supply Unit；電源供給装置）等の電源モジュールのＡＣ電源コードをＡＣコンセントに接続すると、負荷に対して電源供給される「常駐電源」が使用される。
【０００３】
ＰＳＵは、ＰＳＵの素子特性による過電流防止のためのＨｉｃｃｕｐ機能をそなえることがある。Ｈｉｃｃｕｐ機能は、出力電流が規定値を超える場合に、ＰＳＵのＩＣ（Integrated Circuit；集積回路）やサーバ（負荷）の故障を防ぐために、ＰＳＵからの出力を停止し、一定時間後に出力を再開する過電流保護機能の一例である。
【先行技術文献】
【特許文献】
【０００４】
【特許文献１】特開昭６３−１５７６１６号公報
【特許文献２】特開２００８−２１７３９４号公報
【発明の概要】
【発明が解決しようとする課題】
【０００５】
ところで、システムユニットやＩ／Ｏ（Input / Output）ユニット等の複数のユニットや、複数のＰＳＵを有する大規模なサーバの装置構成では、サーバの起動時に、例えば作業者によりＰＳＵのＡＣ電源の投入が順次行なわれることがある。このとき、負荷側の搭載ユニットの構成や数量の条件等によって、「常駐電源」に対する負荷側の突入電流のピークが規定値を超え、Ｈｉｃｃｕｐ機能が働く場合がある。
【０００６】
この場合、ＰＳＵの出力の停止及び再開の後、「常駐電源」に対する負荷側の突入電流のピークが再び規定値を超えることで、Ｈｉｃｃｕｐ機能が繰り返し動作することがある。これにより、ＰＳＵからの電源ＯＮ／ＯＦＦが繰り返されるため、サーバの電源ＯＮが正常に行なわれないことがある。
【０００７】
１つの側面では、本発明は、情報処理装置における電源供給制御を容易に又は低コストに行なうことを目的とする。
【課題を解決するための手段】
【０００８】
１つの態様では、電源制御装置は、切替部と、切替制御部と、をそなえてよい。前記切替部は、複数の電源供給装置から、情報処理装置がそなえる複数のシステムモジュールに電源を供給するための電源供給路の状態を、接続状態及び切断状態のいずれかに切り替えてよい。前記切替制御部は、電源供給装置を電源供給元に接続する際に出力される給電信号に基づき、前記電源供給元に接続された１以上の電源供給装置が供給可能な供給可能電流値を算出してよい。また、前記切替制御部は、当該供給可能電流値が、前記複数のシステムモジュールの突入電流の合計値に達した場合に、前記切替部に対して、前記電源供給路の状態を、前記切断状態から前記接続状態に切り替える制御を行なってよい。
【発明の効果】
【０００９】
１つの側面では、情報処理装置における電源供給制御を容易に又は低コストに行なうことができる。
【図面の簡単な説明】
【００１０】
【図１】一実施形態の比較例に係るラックの構成例を示すブロック図である。
【図２】一実施形態に係る情報処理システムの構成例を示すブロック図である。
【図３】一実施形態に係るラックの構成例を示すブロック図である。
【図４】一実施形態に係る制御部の機能構成例を示すブロック図である。
【図５】ユニットテーブルの一例を示す図である。
【図６】ＰＳＵテーブルの一例を示す図である。
【図７】一実施形態に係るサーバによる電源供給制御の動作例を示すフローチャートである。
【発明を実施するための形態】
【００１１】
以下、図面を参照して本発明の実施の形態を説明する。ただし、以下に説明する実施形態は、あくまでも例示であり、以下に明示しない種々の変形や技術の適用を排除する意図はない。例えば、本実施形態を、その趣旨を逸脱しない範囲で種々変形して実施することができる。なお、以下の実施形態で用いる図面において、同一符号を付した部分は、特に断らない限り、同一若しくは同様の部分を表す。
【００１２】
〔１〕一実施形態
〔１−１〕比較例について
図１は、一実施形態の比較例に係るラック１００の構成例を示すブロック図である。図１に示すように、比較例に係るラック１００は、複数（ｍ台；ｍは自然数）のサーバ１１０、及び、複数の電源タップ１２０を搭載してよい。
【００１３】
複数のサーバ１１０は、それぞれ互いに同様の構成を有してよく、図１の例では、複数のサーバ１１０を代表してサーバ１１０−１（サーバ＃１）の構成を説明する。なお、サーバ１１０−１〜１１０−ｍを区別しない場合には、単にサーバ１１０と表記する。
【００１４】
サーバ１１０は、図１に示すように、中継ボード１３０、複数（ｎ台；ｎは自然数）のＰＳＵ１４０、複数（ｉ台；ｉは自然数）のシステムユニット１５０、及び、複数（ｊ台；ｊは自然数）のＩ／Ｏユニット１６０をそなえてよい。
【００１５】
中継ボード１３０は、複数のＰＳＵ１４０、図示しないファン等、複数のシステムユニット１５０、複数のＩ／Ｏユニット１６０、等を相互に接続するボード（例えば電子機器）である。
【００１６】
電源タップ１２０は、大元のＡＣ電源のコンセント（アウトレット）から、ラック１００内部に電源を引き込む機器である。電源タップ１２０には複数のコンセントが設けられてよい。電源タップ１２０としては、例えば、コンセントボックスが挙げられる。
【００１７】
ＡＣ電源は、電源タップ１２０に接続されるサーバ１１０内部のユニットに対して、電源タップ１２０への接続直後に電源を供給する常駐電源であってよい。ＡＣ電源は、ラック１００が設置される空間（例えば室内）の床下やラック１００内部の背面に設けられる。なお、大元のＡＣ電源のコンセント（通電状態）に対して、電源タップ１２０のケーブル（プラグ）が接続された時点で、ＡＣ電源及び電源タップ１２０は常駐電源となる。
【００１８】
図１に例示するように、電源タップ１２０−１には、各ケーブル１４０ａを介して各ＰＳＵ１４０が接続されてよい。また、電源タップ１２０−２には、各ケーブル１５０ａを介して各システムユニット１５０が接続されてよく、電源タップ１２０−３には、各ケーブル１６０ａを介して各Ｉ／Ｏユニット１６０が接続されてよい。
【００１９】
この場合、電源タップ１２０−１に接続されたＰＳＵ１４０は、中継ボード１３０を介して、システムユニット１５０及びＩ／Ｏユニット１６０に対して、各ユニットの電源ＯＦＦ時に使用される常駐電源（スタンバイ電源）の電力を供給（給電）してよい。図１の例では、常駐電源（例えば１２Ｖ）を符号１７０で示す。
【００２０】
なお、サーバ２の電源がＯＮになった場合、ＰＳＵ１４０は、中継ボード１３０を介して、システムユニット１５０及びＩ／Ｏユニット１６０に対して、各ユニットの電源ＯＮ時の動作のための非常駐電源（通常電源）の電力を供給（給電）してよい。図１の例では、非常駐電源（例えば１２Ｖ）を符号１８０で示す。なお、図１では、常駐電源１７０及び非常駐電源１８０をそれぞれ図示しているが、これらの電源は共通の電源供給路を介して供給されてよい。
【００２１】
電源タップ１２０−２は、各システムユニット１５０に対して、システムユニット１５０の電源ＯＦＦ時に使用される常駐電源（スタンバイ電源）の電力を供給（給電）してよい。さらに、電源タップ１２０−３は、各Ｉ／Ｏユニット１６０に対して、Ｉ／Ｏユニット１６０の電源ＯＦＦ時に使用される常駐電源（スタンバイ電源）の電力を供給（給電）してよい。
【００２２】
次に、中継ボード１３０、ＰＳＵ１４０、システムユニット１５０、Ｉ／Ｏユニット１６０、電源タップ１２０−２及び１２０−３が接続されていると仮定して、作業者によるサーバ１１０−１の起動手順の一例を説明する。
【００２３】
（１）作業者は、電源タップ１２０−１に各ケーブル１４０ａの一端を挿す。
【００２４】
（２）作業者は、各ケーブル１４０ａの他端をＰＳＵ１４０と接続する。
【００２５】
（３）作業者は、サーバ１１０の電源スイッチをＯＮにする。
【００２６】
サーバ１１０の電源は、上記（３）の手順によりＯＮとなる（サーバ１１０が起動する）が、電力自体は、上記（２）の手順において、電源タップ１２０−１に接続されたＰＳＵ１４０から各ユニットに対して順次供給される。
【００２７】
ここで、上記（２）の手順において、ケーブル１４０ａの接続前においても、システムユニット１５０及びＩ／Ｏユニット１６０には、常駐電源（スタンバイ電源）が供給されている。このため、上記（２）の手順により、ケーブル１４０ａの他端をＰＳＵ１４０と接続したときに、既に負荷側に供給されているスタンバイ電源と、接続した直後のＰＳＵ４１（単体）が供給するスタンバイ電源との差により、Ｈｉｃｃｕｐ機能が働く場合がある。
【００２８】
この場合、ＰＳＵ１４０の出力の停止及び再開の後、常駐電源に対する負荷側の突入電流のピークが再び規定値を超えることで、Ｈｉｃｃｕｐ機能が繰り返し動作することがある。これにより、ＰＳＵ１４０からの電源ＯＮ−ＯＦＦが繰り返されるため、サーバ１１０の電源ＯＮが正常に行なわれないことがある。
【００２９】
図１に例示するように、各ユニットの電源入力回路部、例えば、各システムユニット１５０の突入防止用回路（図１中「ＣＲ」と表記）１５２、及び、各Ｉ／Ｏユニット１６０の突入防止用回路１６２に対して、互いに異なる時定数を設定することが考えられる。
【００３０】
例えば、ユニットごとに、或いは、ユニットの種類ごとに、電源ＯＮ／ＯＦＦのスイッチの制御信号に対して異なる時定数を設ける。これにより、電源スイッチのＯＮ時間をずらすことができ、各ユニットに電源が同時投入された場合でも、サーバ１１０全体のピーク消費電流を抑える（規定値以内にする）ことができる。従って、負荷側の突入電流が重ならないため、ＰＳＵ１４０が電源タップ１２０−１に接続されたときの負荷側の突入電流によるＰＳＵ１４０の出力（ＤＣ）のシャットダウンを防止できる。
【００３１】
しかし、図１に例示する手法では、同一の機能等を有するユニットを、時定数が異なるユニット単位で別ユニット（別商品）として管理されることになるため、ユニットごと等の製品数が増加し管理が煩雑となり、また、管理に伴うコストが増加する。
【００３２】
なお、例えば、複数のＰＳＵ１４０の電源を一括でＯＮできるような、電源スイッチを有するコンセントボックス等を設けることも考えられる。このようなコンセントボックスを設ける場合、ラック１００の筐体内に搭載スペースを確保することになる。しかし、ラック１００或いはサーバ１１０を提供する側による、ユーザ用のラックスペースの利用は許容されないことがある。
【００３３】
また、サーバ１１０の設置環境では、ＡＣ電源コンセント〜ＰＳＵ１４０間には、操作性や安全性の観点から、このような電源スイッチの設置が制限される場合がある。制限される場合としては、例えば、床下等のように、ＡＣ電源の設置条件によって、ユーザ側でＡＣ電源へのプラグの抜き差し作業が困難な場合や、安全上の問題で、ユーザ側にＡＣ電源のＯＮ／ＯＦＦの切り替えを要求することが困難な場合等が挙げられる。
【００３４】
さらに、例えば、ＰＳＵ１４０として、十分な電源供給能力のある高性能なＰＳＵを採用することも考えられる。しかし、高性能な（或いは専用の）ＰＳＵは、汎用的なＰＳＵと比較して高価であり、導入コストが増加する。
【００３５】
なお、ラック１００、或いは、複数のサーバ１１０を含むシステムには、サーバ１１０を管理する管理装置が設けられることがある。この場合、各ユニット上の電源スイッチが管理装置と接続され、管理装置からの信号により、ユニット単体ごとに電源ＯＮ／ＯＦＦのタイミングが制御されてもよい。
【００３６】
管理装置は、システムユニット１５０、Ｉ／Ｏユニット１６０等のユニット単体で電源ＯＮのタイミングをずらすことができ、これにより、サーバ１１０に電源が投入された場合でも、サーバ１１０全体のピーク消費電流を抑えることができる。しかし、管理装置を利用する場合、管理装置の導入や維持に伴うコストの増加が発生する。
【００３７】
そこで、一実施形態では、情報処理装置における電源供給制御を容易に又は低コストに行なう手法について説明する。
【００３８】
〔１−２〕一実施形態に係る情報処理システムの構成例
図２は、一実施形態に係る情報処理システム１の構成例を示すブロック図であり、図３は、一実施形態に係るラック１０の構成例を示すブロック図である。
【００３９】
図２に例示するように、情報処理システム１は、例示的に、ＡＣ電源１１、複数の電源タップ１２、及び、複数（ｍ台；ｍは自然数、図３参照）のサーバ２をそなえてよい。
【００４０】
ＡＣ電源１１は、電源タップ１２に接続されるサーバ２内部のユニットに対して、電源タップ１２への接続直後に電源を供給する常駐電源であってよい。ＡＣ電源１１は、ラック１０が設置される空間（例えば室内）の床下やラック１０内部の背面に設けられる。なお、大元のＡＣ電源１１のコンセント（通電状態）に対して、電源タップ１２のケーブル（プラグ）が接続された時点で、ＡＣ電源１１及び電源タップ１２は常駐電源となる。
【００４１】
このように、ＡＣ電源１１及びＡＣ電源１１に接続された電源タップ１２は、ＰＳＵ４１がサーバ２（負荷ユニット）に供給する電源の元である電源供給元の一例である。
【００４２】
電源タップ１２は、大元のＡＣ電源１１のコンセント（アウトレット）に接続され、ラック１０内部に電源を引き込む機器である。電源タップ１２には複数のコンセントが設けられてよい。電源タップ１２としては、例えば、コンセントボックスが挙げられる。
【００４３】
サーバ２は、情報処理装置の一例である。図２に例示するように、サーバ２は、中継ボード３、複数（ｎ台；ｎは自然数）の電源装置４、複数（ｉ台；ｉは自然数）のシステムユニット５、及び、複数（ｊ台；ｊは自然数）のＩ／Ｏユニット６をそなえてよい。なお、サーバ２には、システムユニット５及びＩ／Ｏユニット６に加えて、電源装置４に対する負荷となる他の負荷ユニットがそなえられてもよい。
【００４４】
以下、システムユニット５及びＩ／Ｏユニット６を含む、サーバ２にそなえられるユニットを総称して、「負荷ユニット」と表記する場合がある。なお、負荷ユニットは、サーバ２のシステムに挿抜可能に設けられるモジュールであることから、「システムモジュール」と称されてもよい。
【００４５】
中継ボード３は、複数の電源装置４、複数のシステムユニット５、複数のＩ／Ｏユニット６、等を相互に接続するボード（例えば電子機器）であり、電源制御装置の一例である。
【００４６】
電源装置４は、電源供給装置の一例としてのＰＳＵ４１、及び、ＰＳＵ４１から給電を受け、サーバ２内を冷却するファン４２をそなえてよい。なお、ファン４２は、電源装置４の筐体の外部に設けられてもよい。
【００４７】
ＰＳＵ４１は、電源タップ１２−１からＡＣ電源を入力され、ＡＣ−ＤＣ変換を行ない、中継ボード３にＤＣ電源を出力する電源供給装置の一例である。例えば、ＰＳＵ４１は、中継ボード３を介して、システムユニット５及びＩ／Ｏユニット６に対して、各負荷ユニットの電源ＯＮ時の動作のための常駐電源（通常電源；主電源）の電力を供給（給電）してよい。
【００４８】
図２に例示するように、各ＰＳＵ４１は、ケーブル（図３の例ではケーブル４ａ）を介して電源タップ１２−１に接続されてよく、電源供給路（図３の例では電源供給路７ａ）を介して中継ボード３に接続されてよい。
【００４９】
なお、ＰＳＵ４１としては、例えば、サーバ用の（比較的安価である）汎用的なＰＳＵが利用されてよい。汎用的なＰＳＵとは、ＰＳＵを使用する装置（例えばサーバ２）の構成条件に基づき、形状や電気的仕様等を優先して市販購入できるＰＳＵを意味してよい。
【００５０】
システムユニット５は、図示しないＣＰＵ（Central Processing Unit）やメモリ等を搭載し、システムユニット５単体で情報処理装置としての機能を有するユニットである。システムユニット５における負荷は、ＣＰＵやメモリ等のシステムユニット５を構成するデバイス類である。
【００５１】
図２に例示するように、各システムユニット５は、電源供給路（図３の例では電源供給路７ｂ）を介して中継ボード３に接続されてよく、ケーブル（図３の例ではケーブル５ａ）を介して電源タップ１２−２に接続されてよい。電源タップ１２−２は、各システムユニット５に対して、システムユニット５の電源ＯＦＦ時に使用される常駐電源（スタンバイ電源）の電力を供給（給電）してよい。
【００５２】
Ｉ／Ｏユニット６は、外部ＩＦ（Interface；インタフェース）のカード類等のデバイスを搭載し、システムや他のユニット等に外部ＩＦからのデータや信号を送受信できる入出力装置の機能を有するユニットである。Ｉ／Ｏユニット６における負荷は、Ｉ／Ｏユニット６に搭載されるＩＣ（Integrated Circuit）素子、外部ＩＦカード類等のデバイスである。
【００５３】
図２に例示するように、各Ｉ／Ｏユニット６は、電源供給路（図３の例では電源供給路７ｂ）を介して中継ボード３に接続されてよく、ケーブル（図３の例ではケーブル６ａ）を介して電源タップ１２−３に接続されてよい。電源タップ１２−３は、各Ｉ／Ｏユニット６に対して、Ｉ／Ｏユニット６の電源ＯＦＦ時に使用される常駐電源（スタンバイ電源）の電力を供給（給電）してよい。
【００５４】
なお、電源供給路７ａ及び７ｂは、それぞれ、例えば、ケーブルであってもよいし、ＰＳＵ４１又は負荷ユニットと中継ボード３とを（ケーブルを介さずに）直接的に接続するコネクタであってもよい。
【００５５】
システムユニット５及びＩ／Ｏユニット６は、負荷ユニットごとに電源投入を可能とするために、各負荷ユニット上に電源ＯＮ／ＯＦＦ用のスイッチを有してよい。また、システムユニット５及びＩ／Ｏユニット６は、Hotswap（ホットスワップ）機能（活線挿抜又は活性挿抜）により電源を投入したまま負荷ユニットの脱着を可能とする構造をそなえてもよい。
【００５６】
なお、システムユニット５及びＩ／Ｏユニット６は、それぞれ、電源タップ１２−２又は１２−３から入力されるＡＣ電源をＡＣ−ＤＣ変換して、負荷ユニット内部にＤＣ電源を出力する電源入力回路部（図示省略）をそなえてよい。
【００５７】
図３に示すように、電源タップ１２及びサーバ２は、例えば、ラック（サーバラック）１０等の筐体（ハウジング）に収容されてよい。ラック１０は、例えば、データセンタやサーバルーム、オフィス等に設けられてよく、図３に示すように、複数（ｍ台；ｍは自然数）のサーバ２、及び、複数の電源タップ１２を搭載してよい。
【００５８】
複数のサーバ２は、それぞれ互いに同様の構成を有してよい。以下、図３に例示するように、複数のサーバ２を代表してサーバ２−１（サーバ＃１）の構成を説明する。なお、サーバ２−１〜２−ｍを区別しない場合には、単にサーバ２と表記する。また、図３においては、便宜上、電源装置４のうちのＰＳＵ４１に着目して図示している。
【００５９】
図３に示すように、一実施形態に係る中継ボード３は、例示的に、切替ＳＷ（スイッチ）３１、制御部３２、及び、表示部３３をそなえてよい。なお、中継ボード３では、例えば、電源タップ１２−１に接続されたＰＳＵ４１によって電力が供給され、当該供給された電力により制御部３２及び表示部３３が動作してよい。
【００６０】
切替ＳＷ３１は、電源供給路７ａと電源供給路７ｂとの間に接続され、電源供給路７ａ及び７ｂ間の接続（通電）をＯＮ状態（閉状態）及びＯＦＦ状態（開状態）の間で切り替える。これにより、ＰＳＵ４１から、負荷ユニットへの電力供給のＯＮ及びＯＦＦを切り替えることができる。切替ＳＷ３１としては、接点を切り替え可能な種々のスイッチが用いられてよい。
【００６１】
換言すれば、切替ＳＷ３１は、複数のＰＳＵ４１から、サーバ２がそなえる複数の負荷ユニットに電源を供給するための電源供給路７ａ及び７ｂの状態を、接続状態及び切断状態のいずれかに切り替える切替部の一例である。
【００６２】
制御部３２は、切替ＳＷ３１に対して、ＯＮ状態及びＯＦＦ状態の切り替えを制御する。制御部３２としては、例えば制御回路が挙げられる。制御回路は、例えば、プロセッサの一例としてのＩＣ、記憶装置の一例としてのメモリ装置等をそなえてよい。メモリ装置としては、例えば、フラッシュメモリやＲＯＭ（Read Only Memory）等の不揮発性メモリ、ＲＡＭ（Random Access Memory）等の揮発性メモリ、等が挙げられる。
【００６３】
制御部３２は、例えば、中継ボード３に通電されていない状態では切替ＳＷ３１をＯＦＦ状態、すなわち電源供給路７ａと電源供給路７ｂとが接続されていない状態に制御してよい。また、制御部３２は、ＡＣ電源が供給されている（電源タップ１２−１に接続された）ＰＳＵ４１の台数が以下の条件を満たした場合に、切替ＳＷ３１をＯＮ状態、すなわち電源供給路７ａと電源供給路７ｂとが接続された状態に制御してよい。
【００６４】
例えば、一実施形態において、制御部３２は、ＡＣ電源が供給されているＰＳＵ４１により供給可能な電流値の合計が、サーバ２に搭載されている各負荷ユニットの常駐電源に対するピーク電流の合計を超える場合、条件を満たすと判定してよい。
【００６５】
また、制御部３２は、上述した条件を満たすためのＰＳＵ４１の台数を示す情報を、表示部３３に表示させる制御を行なってよい。
【００６６】
このように、制御部３２によれば、負荷ユニットの合計のピーク電流値を供給可能な台数のＰＳＵ４１が電源タップ１２−１に接続されるまで、ＰＳＵ４１から負荷ユニットへの接続、すなわち電力供給が保留（制限）される。
【００６７】
以上のように、制御部３２は、切替ＳＷ３１に対して、電源供給路７ａ及び７ｂの状態を切り替える制御を行なう切替制御部の一例である。切替制御部としての制御部３２は、例えば、以下の（１）及び（２）の処理を行なうと捉えることができる。
【００６８】
（１）制御部３２は、ＰＳＵ４１を電源タップ１２−１に接続する際に出力される給電信号に基づき、電源タップ１２−１に接続された１以上のＰＳＵ４１が供給可能な供給可能電流値を算出する。
【００６９】
（２）制御部３２は、当該供給可能電流値が、複数の負荷ユニットの突入電流の合計値に達した場合に、切替ＳＷ３１に対して、電源供給路７ａ及び７ｂの状態を、切断状態から接続状態に切り替える制御を行なう。
【００７０】
例えば、制御部３２は、通信路８を介して各ＰＳＵ４１から取得するＡＣ  ＰＯＮ信号と、通信路９を介して各負荷ユニットから取得するユニット識別信号と、に基づいて、切替ＳＷ３１及び表示部３３の制御を行なってよい。制御部３２による制御の詳細については後述する。
【００７１】
表示部３３は、数値を示す情報を表示可能であり、制御部３２からの制御により、ＰＳＵ４１の台数を示す情報を表示してよい。これにより、作業者は、表示部３３に表示された台数に基づいて、ＰＳＵ４１を電源タップ１２−１に接続する作業を行なうことができる。
【００７２】
なお、表示部３３には、上述した情報に代えて、又は、加えて、現時点でＡＣ電源が供給されているＰＳＵ４１の台数、及び、条件を満たすまでの残りのＰＳＵ４１の台数、等のうちの少なくとも１つの情報が表示されてもよい。
【００７３】
表示部３３としては、ＬＥＤ（Light Emitting Diode）、ＬＣＤ（Liquid Crystal Display）、有機ＥＬ（Electro Luminescence）等の表示装置、ブザーやスピーカ等の音響装置、等の種々のデバイスが用いられてよい。なお、表示部３３として、中継ボード３に設けられる既存のＬＥＤ等のデバイスが利用されてもよい。
【００７４】
なお、制御部３２は、条件を満たすか否かの判定、及び、表示部３３に表示させる情報、として、ＰＳＵ４１の台数に代えて、電力量値（例えば電流値）を用いてもよい。
【００７５】
一例として、制御部３２は、ＰＳＵ４１が供給する（供給可能な）ピーク電力量値、及び、負荷ユニットのピーク電力量値の合計、の少なくとも一方を用いてもよい。この場合、表示部３３は、台数に代えて、少なくとも一方の電力量値を表示してもよい。
【００７６】
〔１−３〕制御部の構成例
次に、図４を参照して、制御部３２の構成例を説明する。図４は、一実施形態に係る制御部３２の機能構成例を示すブロック図である。図４に示すように、制御部３２は、例示的に、メモリ装置３２１、識別信号受信回路３２２、ＡＣ  ＰＯＮ信号受信回路３２３、ＰＳＵ数算出回路３２４、切替制御回路３２５、及び、ＤＣ／ＤＣ変換回路３２６をそなえてよい。
【００７７】
メモリ装置３２１は、制御部３２で使用する情報を記憶する記憶領域をそなえる記憶装置の一例であり、一実施形態では、ユニットテーブル３２１ａ、及び、ＰＳＵテーブル３２１ｂの情報を格納してよい。なお、以下の説明では、便宜上、これらのテーブル３２１ａ及び３２１ｂがテーブル形式の情報であるものとして説明するが、メモリ装置３２１の記憶態様に応じた種々の形式（例えば配列やビットマップ形式等）で格納されてよい。
【００７８】
メモリ装置３２１としては、例えば、フラッシュメモリやＲＯＭ等の不揮発性メモリ、ＲＡＭ等の揮発性メモリ、等が挙げられる。
【００７９】
ユニットテーブル３２１ａは、負荷ユニットの種別ごとのピーク（突入）電流値を示す情報であり、モジュール識別信号により識別される負荷ユニットごとの突入電流値が設定された第２情報の一例である。図５に示すように、ユニットテーブル３２１ａは、例示的に、「搭載位置」、「ユニット種別」、「ユニット識別信号」、及び、「常駐電源のピーク電流［Ａ］」の情報を含んでよい。
【００８０】
「搭載位置」は、サーバ２における負荷ユニットの接続位置を示し、例えば、スロット番号であってよい。
【００８１】
「ユニット種別」は、システムユニット５又はＩ／Ｏユニット６等の負荷ユニットの種類を示す。なお、同一種類の負荷ユニットにおいても、製品（モデルやオプション等）単位でピーク電流が変動し得る。このため、「ユニット種別」として、製品（モデルやオプション等）単位で区別してよい。図５の例では、同一種類の負荷ユニット内で互いに区別可能となるように、ユニット種別（システムユニット又はＩ／Ｏユニット）に「＃１」〜「＃４」を付加している。
【００８２】
「ユニット識別信号」は、モジュール識別信号の一例であり、負荷ユニットを識別するための情報を示す。
【００８３】
「常駐電源のピーク電流［Ａ］」は、負荷ユニットにおいて発生する（発生し得る）常駐電源に対するピーク（突入）電流値を示す。当該ピーク電流値は、負荷ユニットの製造元又は販売元等が提供するカタログ上のスペックであってもよいし、サーバ２の管理者等により予め測定された実測値であってもよい。
【００８４】
ＰＳＵテーブル３２１ｂは、ＰＳＵ４１の種別ごとの供給可能電流値を示す情報であり、ＡＣ  ＰＯＮ信号により識別されるＰＳＵ４１ごとの供給可能電流値が設定された第１情報の一例である。図６に示すように、ＰＳＵテーブル３２１ｂは、例示的に、「搭載位置」、「ユニット種別」、「ユニット識別信号」、及び、「供給可能電流（ピーク電流）［Ａ］」の情報を含んでよい。
【００８５】
「搭載位置」は、サーバ２におけるＰＳＵ４１の接続位置を示し、例えば、スロット番号であってよい。
【００８６】
「ユニット種別」は、ＰＳＵ４１の種類、例えば、製品（モデルやオプション等）単位の種別を示す。ＰＳＵ４１は、製造元や、製品（モデルやオプション等）等に応じて供給電力量が異なるためである。ユニット種別は、例えば、ＰＳＵ４１内に記憶されるＦＲＵ（Field Replacement Unit）情報等の設定情報に設定されてよい。
【００８７】
「ユニット識別信号」は、ＰＳＵ４１を識別するための情報を示す。
【００８８】
「供給可能電流（ピーク電流）［Ａ］」は、ＰＳＵ４１において供給可能な電流値を示す。供給可能な電流値とは、負荷ユニットにおいて発生する一時的（瞬間的）なピーク電流値を含む、ＰＳＵ４１が供給可能である電流値を意味してよい。このように、ＰＳＵテーブル３２１ｂには、ＡＣ  ＰＯＮ信号により識別されるＰＳＵ４１の種類に応じた供給可能電流値が設定されてよい。
【００８９】
ＰＳＵ４１が供給可能な電流値は、ＰＳＵ４１の製造元又は販売元等が提供するカタログ上のスペックであってもよいし、サーバ２の管理者等により予め測定された実測値であってもよい。
【００９０】
なお、ユニットテーブル３２１ａ及びＰＳＵテーブル３２１ｂにおけるユニット識別信号は、それぞれ、Ｈｉｇｈ（１）／Ｌｏｗ（０）の組み合わせ信号として表現されてよい。組み合わせ信号は、各負荷ユニット及び各ＰＳＵ４１に割り当てられてよい。例えば、ユニット識別信号は、サーバ２において用いられる既存のＩＦによって、負荷ユニット又はＰＳＵ４１から制御部３２に通知されてよい。
【００９１】
一例として、ＰＳＵ４１は、ケーブル４ａのＡＣ電源プラグが電源タップ１２−１に接続された際に、通信路８（図３参照）を介してＡＣ  ＰＯＮ信号を出力してよい。このＡＣ  ＰＯＮ信号は、給電信号の一例であり、上述したＰＳＵ４１に割り当てられた組み合わせ信号であってよい。
【００９２】
識別信号受信回路３２２は、システムユニット５及びＩ／Ｏユニット６等の負荷ユニットの各々と通信路９（図３参照）を介して接続され、負荷ユニットの各々からユニット識別信号を受信してよい。識別信号受信回路３２２は、ユニット識別信号を受信すると、ユニット識別信号をＰＳＵ数算出回路３２４に送信（転送）してよい。
【００９３】
なお、負荷ユニットは、上述のように、ＰＳＵ４１からの常駐電源が供給されていない状態（切替ＳＷ３１がＯＦＦ状態）においても、電源タップ１２−２又は１２−３からの常駐電源（スタンバイ電源）の供給により、ユニット識別信号を送信することができる。
【００９４】
ＡＣ  ＰＯＮ信号受信回路３２３は、ＰＳＵ４１の各々と通信路８（図３参照）を介して接続され、ケーブル４ａのＡＣ電源プラグが電源タップ１２−１に接続されたＰＳＵ４１からＡＣ  ＰＯＮ信号を受信してよい。ＡＣ  ＰＯＮ信号受信回路３２３は、ＡＣ  ＰＯＮ信号をＰＳＵ４１から受信すると、ＡＣ  ＰＯＮ信号をＰＳＵ数算出回路３２４に送信（転送）してよい。
【００９５】
なお、通信路８及び９は、それぞれ、例えば、通信線であってもよいし、ＰＳＵ４１又は負荷ユニットと中継ボード３とを（ケーブルを介さずに）直接的に接続するコネクタであってもよい。
【００９６】
ＰＳＵ数算出回路３２４は、サーバ２に搭載された負荷ユニットの合計のピーク電流値の供給に耐え得る（供給可能である）ＰＳＵ４１の台数を算出してよい。換言すれば、ＰＳＵ数算出回路３２４は、負荷ユニットの突入電流の合計値以上の電流値を供給するためのＰＳＵ４１の台数を算出してよい。
【００９７】
例えば、ＰＳＵ数算出回路３２４は、識別信号受信回路３２２から負荷ユニットのユニット識別信号を受信すると、ユニットテーブル３２１ａに対して、ユニット識別信号に対応する負荷ユニットのエントリから、ピーク電流値を受信してよい。
【００９８】
また、ＰＳＵ数算出回路３２４は、ＡＣ  ＰＯＮ信号をＡＣ  ＰＯＮ信号受信回路３２３から受信すると、当該ＡＣ  ＰＯＮ信号を送信したＰＳＵ４１（ユニット識別信号が示すＰＳＵ４１）に対して、ユニット種別の識別を行なう。
【００９９】
例えば、ＰＳＵ数算出回路３２４は、Ｉ２Ｃ（Inter-Integrated Circuit）信号等により、ＰＳＵ４１に対して、ＰＳＵ４１に設定されたＦＲＵ情報の送信を指示し、ＰＳＵ４１から受信したＦＲＵ情報に含まれるユニット種別の情報を読み取ってよい。次いで、ＰＳＵ数算出回路３２４は、ＰＳＵテーブル３２１ｂに対して、ユニット種別及びユニット識別信号に対応するＰＳＵ４１のエントリから、供給可能電流値を受信してよい。
【０１００】
そして、ＰＳＵ数算出回路３２４は、例えば、負荷ユニットのピーク電流値の合計値を、ＰＳＵ４１（１台）の供給可能電流値で除算し、除算結果の小数点以下を切り上げた値を、ＰＳＵ４１の台数（目標台数）として算出してよい。
【０１０１】
なお、ＰＳＵ数算出回路３２４は、算出した台数（目標台数）を表示部３３に表示させる制御を行なってもよい。
【０１０２】
ＰＳＵ数算出回路３２４は、ＡＣ  ＰＯＮ信号受信回路３２３からＡＣ  ＰＯＮ信号を受信する都度、現在電源タップ１２−１に接続されているＰＳＵ４１の台数が、目標台数に達したか否かを判定し、達した場合、切替制御回路３２５にＯＮ制御を指示してよい。
【０１０３】
このように、ＰＳＵ数算出回路３２４は、予め設定されたユニットテーブル３２１ａ及びＰＳＵテーブル３２１ｂを用いて、各種の電流値を取得（受信）することができ、正確に、又は、高速に、電流値の比較及び判定を行なうことができる。
【０１０４】
また、ＰＳＵ４１の種別ごとに供給電力量が設定されたＰＳＵテーブル３２１ｂを用いることで、複数種類のＰＳＵ４１がサーバ２に採用（導入）された場合にも対応することが可能となる。
【０１０５】
切替制御回路３２５は、ＰＳＵ数算出回路３２４からのＯＮ制御の指示に従い、切替ＳＷ３１のスイッチをＯＮ状態（閉状態）に制御する。
【０１０６】
ＤＣ／ＤＣ変換回路３２６は、電源タップ１２−１に接続されたＰＳＵ４１から供給される常駐電源（ＤＣ電源）をＤＣ−ＤＣ変換し、変換したＤＣ電源を制御部３２内の各ブロック３２１〜３２５、及び表示部３３に出力する。
【０１０７】
以上のように、制御部３２によれば、電源タップ１２−１に接続された１以上のＰＳＵ４１の供給可能電流値が負荷ユニットのピーク電流値（突入電流）の合計に達すると、切替部３１により、電源供給路７ａ及び７ｂの状態が接続状態に切替制御される。
【０１０８】
また、他の側面では、制御部３２によれば、ＰＳＵ４１が電源タップ１２−１に接続されていない状態から、電源タップ１２−１に接続された１以上のＰＳＵ４１の供給可能電流値が負荷ユニットの突入電流の合計に達するまで、切断状態に維持される。すなわち、ＰＳＵ４１から負荷ユニットへの接続（電力供給）が保留（制限）される。
【０１０９】
これにより、切替部３１がＯＮ状態となり、サーバ２の負荷ユニットの全体の突入電流が発生しても、既にＡＣ電源が供給されている複数のＰＳＵ４１によって、突入電流分の電流を供給できる。従って、Ｈｉｃｃｕｐ機能の動作を抑制でき、ＰＳＵ４１の出力（ＤＣ）のシャットダウンを防止できるため、サーバ２の安定稼働を実現できる。
【０１１０】
また、電源スイッチを有するコンセントボックスや高性能なＰＳＵの導入、管理装置による電源ＯＮ／ＯＦＦのタイミング制御、等の対応を不要とすることができる。さらに、負荷ユニットの突入防止用回路に対する互いに異なる時定数の設定を不要とすることができ、商品数（部品数）の増加を抑制できる。
【０１１１】
以上のことから、一実施形態に係る手法によれば、サーバ２における電源供給制御を容易に又は低コストに行なうことができる。
【０１１２】
〔１−４〕動作例
次に、図７を参照して、サーバ２による電源供給制御の動作例を説明する。図７は、一実施形態に係るサーバ２による電源供給制御の動作例を示すフローチャートである。
【０１１３】
なお、以下の説明では、ＰＳＵ４１と負荷ユニットとが、それぞれ中継ボード３を介して相互に接続されており、各負荷ユニットには、それぞれ電源タップ１２−２又は１２−３が接続されているものとする。また、各ＰＳＵ４１（図３の例ではＰＳＵ＃１〜ＰＳＵ＃ｎ）は、いずれも電源タップ１２−１には未接続であるものとする。
【０１１４】
例えば、作業者は、ＰＳＵ＃１（図３参照）をケーブル４ａにより電源タップ１２−１に接続する。これにより、ＰＳＵ＃１から電源供給路７ａを介して中継ボード３に電源供給されるとともに、ＰＳＵ＃１から通信路８を介して制御部３２にＡＣ  ＰＯＮ信号が出力される。
【０１１５】
制御部３２は、電源タップ１２−１に接続されたＰＳＵ＃１から電源供給を受けて起動する（ステップＳ１）。例えば、ＤＣ／ＤＣ変換回路３２６がＰＳＵ＃１から入力される電力をＤＣ−ＤＣ変換し、各回路モジュール（符号３２１〜３２５、３３；図４参照）に電力を出力する。
【０１１６】
また、ＡＣ  ＰＯＮ信号受信回路３２３は、ＰＳＵ＃１からＡＣ  ＰＯＮ信号を受信し（ステップＳ２）、受信したＡＣ  ＰＯＮ信号をＰＳＵ数算出回路３２４に送信（転送）する。なお、ＡＣ  ＰＯＮ信号は、Ｈｉｇｈ／Ｌｏｗの組み合わせ信号（ユニット識別信号）であってよい。
【０１１７】
識別信号受信回路３２２は、電源タップ１２−２又は１２−３から供給されるスタンバイ電源により動作する負荷ユニットの各々から、ユニット識別信号を受信し、ＰＳＵ数算出回路３２４に出力（転送）する。
【０１１８】
ＰＳＵ数算出回路３２４は、識別信号受信回路３２２から受信したユニット識別信号に基づき、サーバ２に接続されている負荷ユニットの合計電力量を算出する（ステップＳ３）。
【０１１９】
例えば、ＰＳＵ数算出回路３２４は、メモリ装置３２１が記憶するユニットテーブル３２１ａに対して、ユニット識別信号に対応するピーク電流（Ａ）の送信を要求し、メモリ装置３２１から受信したピーク電流（Ａ）の合計を算出してよい。
【０１２０】
また、ＰＳＵ数算出回路３２４は、ＡＣ  ＰＯＮ信号受信回路３２３から受信したＡＣ  ＰＯＮ信号に基づき、ＡＣ電源が供給されているＰＳＵ４１（ＰＳＵ＃１）のユニット種別、供給可能電力量を取得する（ステップＳ４）。
【０１２１】
例えば、ＰＳＵ数算出回路３２４は、通信路（図示省略）を介して、Ｉ２Ｃ信号により、ＰＳＵ＃１に対して、ユニット種別を含むＦＲＵ情報の送信を要求し、ＰＳＵ＃１からＦＲＵ情報を受信してよい。また、ＰＳＵ数算出回路３２４は、受信したＦＲＵ情報からユニット種別を抽出してよい。さらに、ＰＳＵ数算出回路３２４は、メモリ装置３２１が記憶するＰＳＵテーブル３２１ｂに対して、ユニット識別信号及び／又はユニット種別に対応する供給可能電流（Ａ）の送信を要求し、メモリ装置３２１から供給可能電流（Ａ）を受信してよい。
【０１２２】
そして、ＰＳＵ数算出回路３２４は、サーバ２に接続されている負荷ユニットの合計電力量を供給するためのＰＳＵ４１の台数を算出する（ステップＳ５）。例えば、ＰＳＵ数算出回路３２４は、ステップＳ３で算出したピーク電流値の合計を、ＰＳＵ＃１の供給可能電流値で除算し、除算結果の小数点以下を切り上げた値を、ＰＳＵ４１の台数（目標台数）として算出してよい。
【０１２３】
ＰＳＵ数算出回路３２４は、表示部３３に対して、ステップＳ５で算出したＰＳＵ４１の算出台数（目標台数）を表示させる制御を行なう（ステップＳ６）。
【０１２４】
例えば、作業者は、電源タップ１２−１に接続したＰＳＵ４１の台数が、表示部３３に表示された台数（目標台数）に達したか否かを確認し、目標台数に達するまで、ＰＳＵ４１を電源タップ１２−１に順次接続する。
【０１２５】
ＰＳＵ数算出回路３２４は、ＡＣ  ＰＯＮ信号を受信したＰＳＵ４１の台数が算出台数に達したか否かを判定する（ステップＳ７）。
【０１２６】
ＡＣ  ＰＯＮ信号を受信したＰＳＵ４１の台数が算出台数に達していない場合（ステップＳ７でＮｏ）、ＰＳＵ数算出回路３２４は、次のＡＣ  ＰＯＮ信号の受信を待ち合わせる（ステップＳ８、ステップＳ８でＮｏ）。次のＡＣ  ＰＯＮ信号を受信した場合（ステップＳ８でＹｅｓ）、処理がステップＳ７に移行する。
【０１２７】
ＡＣ  ＰＯＮ信号を受信したＰＳＵ４１の台数が算出台数に達した場合（ステップＳ７でＹｅｓ）、ＰＳＵ数算出回路３２４は、切替制御回路３２５に対して、切替ＳＷ３１のＯＮ状態への制御を指示する。切替制御回路３２５は、切替ＳＷ３１に対して、ＯＮ状態に制御し（ステップＳ９）、処理が終了する。
【０１２８】
切替ＳＷ３１がＯＮ状態に制御されることで、電源供給路７ａ及び７ｂが接続され、複数のＰＳＵ４１から負荷ユニットの各々にスタンバイ電源が供給される。
【０１２９】
なお、図７に示す処理は、上述した処理順序、処理内容に限定されるものではない。例えば、ステップＳ３の処理と、ステップＳ４の処理とは、逆順に実行されてもよいし、並行して実行されてもよい。
【０１３０】
〔２〕その他
上述した一実施形態に係る技術は、以下のように変形、変更して実施することができる。
【０１３１】
例えば、図４に示す制御部３２の各機能ブロックは、それぞれ任意の組み合わせで併合してもよく、分割してもよい。
【０１３２】
〔３〕付記
以上の実施形態に関し、更に以下の付記を開示する。
【０１３３】
（付記１）
複数の電源供給装置から、情報処理装置がそなえる複数のシステムモジュールに電源を供給するための電源供給路の状態を、接続状態及び切断状態のいずれかに切り替える切替部と、
電源供給装置を電源供給元に接続する際に出力される給電信号に基づき、前記電源供給元に接続された１以上の電源供給装置が供給可能な供給可能電流値を算出し、当該供給可能電流値が、前記複数のシステムモジュールの突入電流の合計値に達した場合に、前記切替部に対して、前記電源供給路の状態を、前記切断状態から前記接続状態に切り替える制御を行なう切替制御部と、をそなえる、電源制御装置。
【０１３４】
（付記２）
前記給電信号により識別される電源供給装置ごとの供給可能電流値が設定された第１情報を記憶する記憶領域をそなえ、
前記切替制御部は、前記給電信号と、前記第１情報と、に基づき、前記電源供給元に接続された１以上の電源供給装置が供給可能な供給可能電流値を算出する、付記１に記載の電源制御装置。
【０１３５】
（付記３）
前記第１情報は、前記給電信号により識別される電源供給装置の種類に応じた供給可能電流値が設定され、
前記切替制御部は、前記給電信号により識別される電源供給装置の種類と、前記給電信号と、前記第１情報と、に基づき、前記電源供給元に接続された１以上の電源供給装置が供給可能な供給可能電流値を算出する、付記２に記載の電源制御装置。
【０１３６】
（付記４）
モジュール識別信号により識別されるシステムモジュールごとの突入電流値が設定された第２情報を記憶する記憶領域をそなえ、
前記切替制御部は、前記情報処理装置がそなえる前記複数のシステムモジュールの各々からモジュール識別信号を受信し、受信した前記モジュール識別信号と、前記第２情報と、に基づき、前記突入電流の合計値を算出する、付記１〜３のいずれか１項に記載の電源制御装置。
【０１３７】
（付記５）
数値を示す情報を表示可能な表示部をそなえ、
前記切替制御部は、前記供給可能電流値と、前記突入電流の合計値と、に基づいて、前記突入電流の合計値以上の電流値を供給するための電源供給装置の台数を算出し、算出した台数を前記表示部に表示させる制御を行なう、付記１〜４のいずれか１項に記載の電源制御装置。
【０１３８】
（付記６）
数値を示す情報を表示可能な表示部をそなえ、
前記切替制御部は、前記供給可能電流値、及び、前記突入電流の合計値、の少なくとも一方を前記表示部に表示させる制御を行なう、付記１〜４のいずれか１項に記載の電源制御装置。
【０１３９】
（付記７）
前記切替制御部は、前記電源供給元に電源供給装置が接続されていない状態から、前記供給可能電流値が前記突入電流の合計値に達するまでの間は、前記切替部に対して、前記電源供給路の状態を前記切断状態に維持するように制御する、付記１〜６のいずれか１項に記載の電源制御装置。
【０１４０】
（付記８）
複数の電源供給装置と、
複数のシステムモジュールと、
電源制御装置と、をそなえ、
前記電源制御装置は、
前記複数の電源供給装置から、前記複数のシステムモジュールに電源を供給するための電源供給路の状態を、接続状態及び切断状態のいずれかに切り替える切替部と、
電源供給装置を電源供給元に接続する際に出力される給電信号に基づき、前記電源供給元に接続された１以上の電源供給装置が供給可能な供給可能電流値を算出し、当該供給可能電流値が、前記複数のシステムモジュールの突入電流の合計値に達した場合に、前記切替部に対して、前記電源供給路の状態を、前記切断状態から前記接続状態に切り替える制御を行なう切替制御部と、をそなえる、情報処理装置。
【０１４１】
（付記９）
前記電源制御装置は、
前記給電信号により識別される電源供給装置ごとの供給可能電流値が設定された第１情報を記憶する記憶領域をそなえ、
前記切替制御部は、前記給電信号と、前記第１情報と、に基づき、前記電源供給元に接続された１以上の電源供給装置が供給可能な供給可能電流値を算出する、付記８に記載の情報処理装置。
【０１４２】
（付記１０）
前記第１情報は、前記給電信号により識別される電源供給装置の種類に応じた供給可能電流値が設定され、
前記切替制御部は、前記給電信号により識別される電源供給装置の種類と、前記給電信号と、前記第１情報と、に基づき、前記電源供給元に接続された１以上の電源供給装置が供給可能な供給可能電流値を算出する、付記９に記載の情報処理装置。
【０１４３】
（付記１１）
前記電源制御装置は、
モジュール識別信号により識別されるシステムモジュールごとの突入電流値が設定された第２情報を記憶する記憶領域をそなえ、
前記切替制御部は、前記情報処理装置がそなえる前記複数のシステムモジュールの各々からモジュール識別信号を受信し、受信した前記モジュール識別信号と、前記第２情報と、に基づき、前記突入電流の合計値を算出する、付記８〜１０のいずれか１項に記載の情報処理装置。
【０１４４】
（付記１２）
数値を示す情報を表示可能な表示部をそなえ、
前記切替制御部は、前記供給可能電流値と、前記突入電流の合計値と、に基づいて、前記突入電流の合計値以上の電流値を供給するための電源供給装置の台数を算出し、算出した台数を前記表示部に表示させる制御を行なう、付記８〜１１のいずれか１項に記載の情報処理装置。
【０１４５】
（付記１３）
数値を示す情報を表示可能な表示部をそなえ、
前記切替制御部は、前記供給可能電流値、及び、前記突入電流の合計値、の少なくとも一方を前記表示部に表示させる制御を行なう、付記８〜１１のいずれか１項に記載の情報処理装置。
【０１４６】
（付記１４）
前記切替制御部は、前記電源供給元に電源供給装置が接続されていない状態から、前記供給可能電流値が前記突入電流の合計値に達するまでの間は、前記切替部に対して、前記電源供給路の状態を前記切断状態に維持するように制御する、付記８〜１３のいずれか１項に記載の情報処理装置。
【符号の説明】
【０１４７】
１    情報処理システム
１０    ラック
１１    ＡＣ電源
１２、１２−１〜１２−３    電源タップ
２、２−１〜２−ｍ    サーバ
３    中継ボード
３１    切替ＳＷ
３２    制御部
３２１    メモリ装置
３２１ａ    ユニットテーブル
３２１ｂ    ＰＳＵテーブル
３２２    識別信号受信回路
３２３    ＡＣ  ＰＯＮ信号受信回路
３２４    ＰＳＵ数算出回路
３２５    切替制御回路
３２６    ＤＣ／ＤＣ変換回路
３３    表示部
４、４−１〜４−ｎ    電源装置
４ａ、５ａ、６ａ    ケーブル
４１    ＰＳＵ
４２    ファン
５、５−１〜５−ｉ    システムユニット
６、６−１〜６−ｊ    Ｉ／Ｏユニット
７ａ、７ｂ    電源供給路
８、９    通信路
【図１】
2020036402.tif 000003
【図２】
2020036402.tif 000004
【図３】
2020036402.tif 000005
【図４】
2020036402.tif 000006
【図５】
2020036402.tif 000007
【図６】
2020036402.tif 000008
【図７】
2020036402.tif 000009